(57)【要約】【課題】多量のＥＧＲによって低温燃焼を行わせてＮＯｘを削減しつつ、スモークの発生も抑制し、さらに燃費に有利な高等容度の燃焼を行わせることができるディーゼルエンジンの制御装置を提供する。【解決手段】ＥＧＲ手段５２と、所定のＥＧＲ率になるようにＥＧＲ弁５２の開度を調節するＥＧＲ制御手段６３と、燃料噴射弁１６と、燃料噴射量および燃料噴射時期をエンジンの運転状態に応じて調整する燃料噴射制御手段６２とを備えたディーゼルエンジンの制御装置であって、所定の低中負荷運転領域において、ＥＧＲ制御手段６３がＥＧＲ率を増大させて低温燃焼を行わせるとともに、燃料噴射制御手段６２が圧縮行程後期で分割噴射を行う低温燃焼噴射モードを実行し、上記分割噴射の噴射量および噴射時期は、各噴射燃料が圧縮行程上死点付近で燃焼するように予め設定されているように構成する。【選択図】図１
2007332815.tif 000002
【特許請求の範囲】
【請求項１】
ＥＧＲ弁の開度に応じた量の排気ガスを排気通路から吸気通路に還流させるＥＧＲ手段と、
運転状態に応じた所定のＥＧＲ率になるように上記ＥＧＲ弁の開度を調節するＥＧＲ制御手段と、
エンジンの燃焼室内に燃料を噴射する燃料噴射弁と、
上記燃料噴射弁の燃料噴射量および燃料噴射時期をエンジンの運転状態に応じて設定する燃料噴射制御手段とを備えたディーゼルエンジンの制御装置であって、
所定の低中負荷運転領域において、上記ＥＧＲ制御手段が上記ＥＧＲ率を増大させて低温燃焼を行わせるとともに、上記燃料噴射制御手段が圧縮行程後期で分割噴射を行う低温燃焼噴射モードを実行し、
上記分割噴射の噴射量および噴射時期は、各噴射燃料が圧縮行程上死点付近で燃焼するように予め設定されていることを特徴とするディーゼルエンジンの制御装置。
【請求項２】
上記分割噴射は、その最後の噴射の実質的な完了時期が、その噴射による燃焼の熱炎着火時期よりも早期となるように予め設定されていることを特徴とする請求項１記載のディーゼルエンジンの制御装置。
【請求項３】
燃焼室の燃焼圧力に関連するパラメータ値を検出するパラメータ値検出手段を備え、
上記燃料噴射制御手段は、上記低温燃焼噴射モードの実行中において、上記パラメータ値に基く実際の燃焼時期が、圧縮行程上死点付近となるように、上記分割噴射の噴射量または噴射時期を補正することを特徴とする請求項１または２記載のディーゼルエンジンの制御装置。
【請求項４】
上記燃料噴射制御手段は、上記補正を、上記最後の噴射の実質的な完了時期から上記実際の熱炎着火時期までの期間が所定値以上確保される範囲内で行うことを特徴とする請求項３記載のディーゼルエンジンの制御装置。
【発明の詳細な説明】
【技術分野】
【０００１】
本発明は、ディーゼルエンジンの制御装置に関し、特にＥＧＲ（排気再循環）を行うことによって排気浄化性能向上を図るものに関する。
【背景技術】
【０００２】
ディーゼルエンジンにおいて、その排気浄化性能を高める要求が近年特に高まっている。なかでも、排気ガス中のＮＯｘ（窒素酸化物）やスモーク（黒煙）の低減は重要な課題となっている。
【０００３】
特に低中負荷運転領域においてＮＯｘを多量に発生させる一因として、酸素過剰環境下における燃焼であることが挙げられる。ガソリンエンジンとは異なり、一般的なディーゼルエンジンでは吸気を絞らず、充分な空気（酸素）を筒内に導入した状態で必要量の燃料を燃焼させる。このような酸素過剰環境下での燃焼は、燃焼温度が高くなり易く、そのためＮＯｘ発生量が増大するのである。
【０００４】
この対策として、ＥＧＲが有効であることが広く知られ、用いられている。ＥＧＲは、排気の一部を排気通路から吸気通路に還流させ、燃焼室に再循環させるものである。ＥＧＲを行うと、筒内に導入される吸気の一部が新気からＥＧＲガス（還流された排気ガス）に置換される。ＥＧＲガスの酸素濃度は低いので、吸気全体としての酸素濃度も低下する。このため燃焼温度が低下するので、効果的にＮＯｘの発生を抑制することができる。
【０００５】
ＥＧＲによるＮＯｘ削減効果をより多く享受するには、ＥＧＲ率（吸気中のＥＧＲガス量の割合）を高くし、またＥＧＲクーラ等を用いてＥＧＲガスの温度を低下させておくのが良い。このような燃焼形態は低温燃焼とも呼ばれる。
【０００６】
ところが、単にＥＧＲ率を増大させると、スモーク量が増大するという問題が起こる。スモークは、局所的に酸素不足気味（リッチ気味）となっている箇所で発生し易い。多量のＥＧＲを行って全体的な酸素濃度を低下させると、局所的にリッチ気味な箇所が相対的に増加するのでスモークが発生し易いのである。
【０００７】
そこで、その対策として、燃料の噴射時期に対する着火時期を遅らせる技術が開発されつつある。着火時期を相対的に遅らせると、着火までの燃料の混合（予混合）が促進され、スモークの低減に効果的である。
【０００８】
例えば特許文献１には、高ＥＧＲ率とすることによって低温燃焼を行わせるとともに、燃料噴射時期を圧縮行程上死点後にまで遅らせることにより着火遅れを実現させ、スモークの発生を抑制しつつＮＯｘの削減を図る技術、いわゆる低温予混合燃焼が開示されている。
【特許文献１】特開平７−４２８７号公報
【発明の開示】
【発明が解決しようとする課題】
【０００９】
しかしながら、特許文献１に示されるような従来の低温予混合燃焼は、燃費という観点からは好ましい燃焼形態ではないという問題がある。エンジンの熱効率は、圧縮行程上死点付近で燃焼を行わせたときに最も高く、燃費が良くなる（等容燃焼）。しかし従来の低温予混合燃焼では、圧縮行程上死点後に燃料噴射を行い、その後に燃焼を起こさせるので、圧縮行程上死点よりもかなり遅れた（クランク角で１５〜２０°程度）燃焼とならざるを得ない。このような等容度の低い燃焼は熱効率が低く、燃費に対して不利である。
【００１０】
本発明は、上記の事情に鑑みてなされたものであり、多量のＥＧＲによって低温燃焼を行わせてＮＯｘを削減しつつ、スモークの発生も抑制し、さらに燃費に有利な高等容度の燃焼を行わせることができるディーゼルエンジンの制御装置を提供することを目的とする。
【課題を解決するための手段】
【００１１】
上記課題を解決するための請求項１に係る発明は、ＥＧＲ弁の開度に応じた量の排気ガスを排気通路から吸気通路に還流させるＥＧＲ手段と、運転状態に応じた所定のＥＧＲ率になるように上記ＥＧＲ弁の開度を調節するＥＧＲ制御手段と、エンジンの燃焼室内に燃料を噴射する燃料噴射弁と、上記燃料噴射弁の燃料噴射量および燃料噴射時期をエンジンの運転状態に応じて設定する燃料噴射制御手段とを備えたディーゼルエンジンの制御装置であって、所定の低中負荷運転領域において、上記ＥＧＲ制御手段が上記ＥＧＲ率を増大させて低温燃焼を行わせるとともに、上記燃料噴射制御手段が圧縮行程後期で分割噴射を行う低温燃焼噴射モードを実行し、上記分割噴射の噴射量および噴射時期は、各噴射燃料が圧縮行程上死点付近で燃焼するように予め設定されていることを特徴とする。
【００１２】
請求項２に係る発明は、請求項１記載のディーゼルエンジンの制御装置において、上記分割噴射は、その最後の噴射の実質的な完了時期が、その噴射による燃焼の熱炎着火時期よりも早期となるように予め設定されていることを特徴とする。
【００１３】
請求項３に係る発明は、請求項１または２記載のディーゼルエンジンの制御装置において、燃焼室の燃焼圧力に関連するパラメータ値を検出するパラメータ値検出手段を備え、上記燃料噴射制御手段は、上記低温燃焼噴射モードの実行中において、上記パラメータ値に基く実際の燃焼時期が、圧縮行程上死点付近となるように、上記分割噴射の噴射量または噴射時期を補正することを特徴とする。
【００１４】
請求項４に係る発明は、請求項３記載のディーゼルエンジンの制御装置において、上記燃料噴射制御手段は、上記補正を、上記最後の噴射の実質的な完了時期から上記実際の熱炎着火時期までの期間が所定値以上確保される範囲内で行うことを特徴とする。
【発明の効果】
【００１５】
請求項１の発明によると、以下説明するように、多量のＥＧＲによって低温燃焼を行わせてＮＯｘを削減しつつ、スモークの発生も抑制し、さらに燃費に有利な高等容度の燃焼を行わせることができる。
【００１６】
本発明では、所定の低中負荷運転領域において、ＥＧＲ制御手段がＥＧＲ率を増大させて低温燃焼を行わせるので、この領域においてＮＯｘを大幅に削減することができる。
【００１７】
一方、その低温燃焼の実行中に、燃料噴射制御手段が、圧縮行程後期で分割噴射を行う低温燃焼噴射モードを実行する。分割噴射は、１行程で消費する燃料を複数回に分割し、時期をずらして噴射するものである。３分割以上の分割噴射を行っても良いが、説明を簡潔にするために、ここでは前段噴射と後段噴射とからなる２分割の分割噴射について説明する。まず燃料の一部を前段噴射で早期に噴射することにより、予混合を促進することができ、スモークの発生を抑制することができる。
【００１８】
また後段噴射時期を前後させることによって燃焼時期を調節することができるので、適宜タイミングで後段噴射を行わせることにより、圧縮行程上死点付近で燃焼させることができる。すなわち燃費に有利な高等容度燃焼を行わせることができる。
【００１９】
なお本発明の低温燃焼噴射モードで行われる分割噴射の前段噴射は、従来の低温予混合燃焼で行われるパイロット噴射とは本質的に異なるものである。従来のパイロット噴射は、本来の噴射（メイン噴射）の前に微量の燃料を噴射し、予備的な燃焼を起こさせるものであるのに対し、本発明の前段噴射は、比較的多量の燃料を噴射し、後段噴射の燃料と一緒に圧縮行程上死点付近で燃焼させるものである。このとき、前段噴射された燃料の燃焼を後段噴射後まで遅延させるのに大きく貢献しているのが、高ＥＧＲ率で導入された多量のＥＧＲガスである。
【００２０】
また、分割噴射は３分割以上であっても良く、その場合は、最初の噴射が上記前段の噴射、最後の噴射が上記後段の噴射に相当する。そして途中の噴射は、上記前段の噴射と後段の噴射との中間の作用を呈するものとなる。
【００２１】
請求項２の発明によると、スモークの発生をより確実に抑制することができる。スモークを増大させる要因のひとつに、燃料の噴射が完了する前に熱炎着火時期（本格的な燃焼が開始する時期）が到来することが挙げられる。このような場合、燃焼時の燃料の偏在が顕著となるので、スモークの発生に不利となる。本発明によれば、最後の噴射（２分割噴射の場合の後段噴射に相当する）の実質的な完了時期が、燃焼の熱炎着火時期よりも早期となるように予め設定されているので、そのような現象を回避することができ、スモークの発生を効果的に抑制することができる。
【００２２】
なお、最後（後段）の噴射を早期に完了させるには、例えばその最後の噴射の噴射量割合を低減する（それより前の噴射の噴射量割合を増大する）ことにより、最後の噴射に要する時間を短縮させる方法が効果的である。
【００２３】
請求項３の発明によると、何らかの要因、或いは過渡的な動作において燃焼時期が狙いの圧縮行程上死点付近から外れた場合、それが圧縮行程上死点付近となるように、分割噴射の噴射量または噴射時期を補正する。従って、高等容度燃焼を可及的に維持することができ、燃費の向上に貢献することができる。
【００２４】
例えば、後段噴射時期を前後させることによって燃焼時期を調整できることを利用し、フィードバック制御等によって、燃焼時期が圧縮行程上死点付近から外れないようにコントロールすることができる。
【００２５】
請求項４の発明によると、上記補正を、最後の噴射の実質的な完了時期から実際の熱炎着火時期までの期間が所定値以上確保される範囲内とすることにより、燃料の噴射が完了する前に熱炎着火時期が到来することを確実に回避することができる。従って、スモークの発生を効果的に抑制することができる範囲内で、可及的に高等容度燃焼を行わせて燃費の向上を図ることができる。
【発明を実施するための最良の形態】
【００２６】
以下、図面を参照しつつ本発明の実施の形態を説明する。図１は本発明の一実施形態に係るディーゼルエンジンの概略構成を示す。エンジン本体１には複数の気筒１２（例えば４気筒）が形成され、各気筒１２にはコンロッドを介してクランクシャフト３に連結されたピストン１３が嵌挿されている。ピストン１３の上方に燃焼室１４が形成されている。
【００２７】
各気筒１２の燃焼室１４の頂部には、燃焼室１４内に燃料を直接噴射する燃料噴射弁１６が設けられている。この燃料噴射弁１６は、図略のニードル弁及びソレノイドを内蔵し、パルス信号が入力されることにより、そのパルス入力時期にパルス幅に対応する時間だけ駆動されて開弁し、その開弁時間に応じた量の燃料を噴射するように構成されている。
【００２８】
燃料噴射弁１６は、後述する低温噴射モードにおいては前段噴射と後段噴射とからなる分割噴射を行い、後述する噴射時期リタードモードにおいては、圧縮行程上死点（圧縮ＴＤＣ）以降にまで遅延（リタード）させたメイン噴射と、そのメイン噴射に先立って予備的な燃焼を起こさせるためのパイロット噴射とを行う。
【００２９】
また燃焼室１４の頂部には、指圧Ｐ（筒内圧力）を検出する指圧センサ４１が設けられている。指圧センサ４１は、燃焼室１４の燃焼圧力に関連するパラメータ値（指圧Ｐ）を検出するパラメータ値検出手段として機能する。
【００３０】
さらにエンジン本体１には、クランクシャフト３の回転速度を検出するクランク角センサ３０と、エンジンの冷却水の温度を検出する水温センサ３３が設けられている。
【００３１】
そして各気筒１２の燃焼室１４に対して吸気ポート１７及び排気ポート１８が開口し、これらの各ポート１７，１８に吸気弁１９及び排気弁２０が装備されている。吸気ポート１７および排気ポート１８には、それぞれ吸気通路２１および排気通路２２が接続されている。
【００３２】
吸気通路２１の最上流側には吸気中の異物や塵埃を除去するエアクリーナ２４が設けられ、その下流側には吸気量を検出するエアフローセンサ２５が設けられている。さらにその下流には吸気通路２１の流路断面積を調節する吸気スロットル２３が設けられている。さらにその下流には過給機２８の吸気側機構であるコンプレッサ２８ａが設けられている。当実施形態の過給機２８は排気タービン過給機、いわゆるターボチャージャである。コンプレッサ２８ａは吸気通路２１上に設けられた羽根車であって、これが高速回転することによって吸気を圧縮し、増圧する。
【００３３】
過給機２８のさらに下流には、過給機２８によって圧縮されて温度上昇した吸気を冷却し、吸気密度を高める空冷のインタークーラ２７が設けられている。さらにインタークーラ２７の下流には、吸気圧を検出する吸気圧センサ２６と、吸気温度を検出する吸気温センサ２９とが設けられている。これらの下流側で吸気通路２１と吸気ポート１７とが接続されている。
【００３４】
一方、排気ポート１８に接続された排気通路２２には、まず上流側に過給機２８の排気側機構であるタービン２８ｂが設けられている。タービン２８ｂは排気通路２２上に設けられた羽根車であって、コンプレッサ２８ａと直結されている。タービン２８ｂが排気ガスのエネルギーによって駆動されることにより、コンプレッサ２８ａが駆動される。
【００３５】
過給機２８のさらに下流には排気浄化装置３７が設けられている。排気浄化装置３７は、酸化触媒、ＤＰＦ（ディーゼルパティキュレートフィルタ）、ＮＯｘ吸蔵材等の何れか又はそれらの組合わせからなり、排気ガス中のＣＯ（一酸化炭素）、ＨＣ（炭化水素）、ＮＯｘ、ＰＭ（粒子状物質。パティキュレートマター）等を除去或いは無害化処理する。
【００３６】
また、排気通路２２の排気浄化装置３７より下流側と、吸気通路２１の吸気スロットル２３より下流側とを連通するＥＧＲ通路５１が設けられている。ＥＧＲ通路５１には、この通路を開閉するＥＧＲ弁５２が設けられている。ＥＧＲ弁５２が開弁されると、排気通路２２から吸気通路２１に排気ガスが還流される。つまりＥＧＲが行われる。還流された排気ガス（これを特にＥＧＲガスという）は新気と合流して吸気ポート１７側へ再循環される。ＥＧＲ弁５２は、その開度を変動させることによってＥＧＲガスの量（ＥＧＲ量）を調節することができる。
【００３７】
またＥＧＲ通路５１には水冷のＥＧＲクーラ５３が設けられている。ＥＧＲガスは新気よりも高温なので、新気と合流すると吸気温度が上昇して吸気密度が低下してしまう。そこで、ＥＧＲクーラ５３によってＥＧＲガスを冷却することにより、吸気温度の上昇が抑制される。またＥＧＲガスを冷却することにより、燃焼温度をより低減させ、ＮＯｘ削減効果を高めることができる。
【００３８】
排気通路２２のＥＧＲ通路５１との分岐点より下流側は図示を省略しているが、マフラー等を介して排気口へと繋がっている。
【００３９】
その他に、さらに運転者のアクセル操作量に対応したアクセル開度Ａｃを検出するアクセル開度センサ３４が設けられている。
【００４０】
そして、このエンジンの運転を総合的に制御するコントロールユニットとして、ＥＣＵ２が設けられている。ＥＣＵ２は、ＣＰＵ，ＲＯＭ，ＲＡＭ等を備えたコンピュータ等からなる。具体的には、予めＲＯＭ（又はＲＡＭ）に記憶されているプログラムがＣＰＵによって実行されることによって各部の動作等が制御される。
【００４１】
当実施形態のエンジンは、所定の低中負荷運転領域において、多量のＥＧＲを行って低温燃焼を行わせるとともに、その際、燃料噴射弁１６から噴射される燃料を圧縮行程後期で分割噴射を行う低温燃焼噴射モードを実行するように構成されている。また、それよりも高負荷の領域では、圧縮ＴＤＣ以降にまで遅延させたメイン噴射と、そのメイン噴射に先立って予備的な燃焼を行わせるためのパイロット噴射とを行う噴射時期リタードモードを実行するように構成されている。以下ＥＣＵ２の説明にあたり、これら低温燃焼噴射モード及び噴射時期リタードモードに係る部分を中心に説明する。
【００４２】
ＥＣＵ２には、エアフローセンサ２５、吸気圧センサ２６、吸気温センサ２９、クランク角センサ３０、水温センサ３３、アクセル開度センサ３４及び指圧センサ４１からの各検知信号が入力される。またＥＣＵ２は、燃料噴射弁１６、吸気スロットル２３およびＥＧＲ弁５２のそれぞれに各駆動信号を出力する。
【００４３】
ＥＣＵ２は、吸気量制御部６１、燃料噴射制御部６２およびＥＧＲ制御部６３を機能的に含んでいる。以下、これらの各部によってなされる制御について説明する。
【００４４】
吸気量制御部６１は、必要に応じて吸気スロットル２３を作動させ、吸気を絞る。例えば排気温度を上昇させるために気筒１２内に導入される吸気量を低減する必要のある場合等がこれに相当する。その他の通常の運転時には吸気スロットル２３を全開位置に固定する。
【００４５】
燃料噴射制御部６２は、燃料噴射時期およびその噴射量を設定し、その信号を燃料噴射弁１６に出力する。燃料噴射制御部６２は、その燃料噴射の形態として、運転状態に応じた２つのモード、すなわち低温燃焼噴射モードと噴射時期リタードモードとを選択的に切換えて実行する。
【００４６】
比較的低負荷領域（図３に示す領域（Ａ））で選択される低温燃焼噴射モードは、圧縮行程後期に燃料を分割噴射するモードである。当実施形態の分割噴射は、前段噴射と後段噴射とからなる２分割噴射である。各噴射の噴射時期および噴射量は、運転状態、例えばエンジン回転速度Ｎｅと要求トルクＴ（エンジン回転速度Ｎｅおよびアクセル開度Ａｃから算出される）とに基づくマップデータから読込むことによって設定される。そのマップデータは、後述するように、予めスモークやライナ衝突燃料量を最小限に抑えつつ、燃費に最も有利な圧縮ＴＤＣ付近で燃焼を行わせることができるような値として予め記憶されている。また、何らかの要因或いは過渡的な動作によって燃焼時期が狙いの圧縮ＴＤＣ付近から外れた場合、それが圧縮ＴＤＣ付近となるように、後段噴射の噴射時期を補正する。
【００４７】
上記低温燃焼噴射モードが行われる領域より高負荷の領域（図３に示す領域（Ｂ））で選択される噴射時期リタードモードは、圧縮ＴＤＣ以降にまで遅延させたメイン噴射と、そのメイン噴射に先立って予備的な燃焼を行わせるためのパイロット噴射とを行うモードである。パイロット噴射の噴射量は微量であって、実質的な燃焼エネルギーはメイン噴射による燃焼によって得られる。各噴射の噴射時期および噴射量は、運転状態、例えばエンジン回転速度Ｎｅと要求トルクＴとに基づいて予め記憶されているマップデータから読込むことによって設定される。
【００４８】
ＥＧＲ制御部６３（ＥＧＲ制御手段）は、ＥＧＲの要否を判定し、ＥＧＲを行わない場合にはＥＧＲ弁５２を閉弁させ、行う場合には目標ＥＧＲ率εに応じたＥＧＲ弁５２の開度を設定したうえで、これを開弁させる。なお当実施形態では、（ＥＧＲ率）＝（ＥＧＲ量）／（全体の吸気量）で表されるものとする。
【００４９】
図２は、目標ＥＧＲ率εの設定図である。横軸にエンジン回転速度Ｎｅ、縦軸にエンジンの要求トルクＴを示す。この設定図において目標ＥＧＲ率εは等ＥＧＲ率線で示されており、矢印ＡＷ１で示す方向、つまりエンジン回転速度Ｎｅや要求トルクＴが小さいほど大きな値となるように設定されている。最も目標ＥＧＲ率εの低い高負荷高回転域ではε＝０％である。また最も目標ＥＧＲ率εの高い低負荷低回転領域ではε≧５０％である。
【００５０】
次に、このディーゼルエンジンの運転動作について説明する。最初に、低温燃焼噴射モードと噴射時期リタードモードとに共通する、全体的な運転動作の概要を図１を参照しつつ説明する。まず吸気の流れとして、エアクリーナ２４によって異物や塵埃等が除去された吸気（新気）が吸気通路２１に導入される。その吸気はスロットル２３を通るが、通常は吸気スロットル２３が全開とされているので、絞られることなく通過する。そして排気通路２２とＥＧＲ通路５１との合流部において、ＥＧＲクーラ５３によって冷却されたＥＧＲガスと新気とが合流する。ＥＧＲガスと合流した吸気（混合ガス）は、その後過給機２８に導入される。混合ガスは過給機２８で圧縮、増圧されるとともに断熱圧縮によって温度上昇するが、その後インタークーラ２７によって冷却されて密度が高められ、吸気ポート１７に導入される。
【００５１】
そして吸気行程において、排気弁２０が閉弁するとともに吸気弁１９が開弁し、ピストン１３が降下する。それに伴って吸気ポート１７から燃焼室１４内に混合ガスが導入される。
【００５２】
続く圧縮行程では、吸気弁１９が閉弁するとともにピストン１３が上昇する。これによって混合ガスが断熱圧縮され、高温・高圧となる。そしてピストン１３が圧縮ＴＤＣ付近まで上昇した時期の前後に燃料噴射弁１６から燃料が噴射される。噴射された燃料は高温・高圧環境下で自着火を起こし、燃焼を開始する。
【００５３】
続く膨張行程では、燃焼によって急激に筒内圧力が上昇し、強い力でピストン１３が押し下げられる。この力によってクランクシャフト３を駆動するエンジントルクが生成される。また燃焼により、ＨＣ、ＣＯ、ＮＯｘおよびＰＭ等が生成する。
【００５４】
続く排気行程では、排気弁２０が開弁するとともにピストン１３が上昇する。これによって燃焼室１４内の燃焼ガスが排気ポート１８に排出される。排出された排気ガスは、過給機２８を駆動した後、排気浄化装置３７に導入され、所定の浄化処理が行われる。その後、排気ガスの一部はＥＧＲ通路５１に分流してＥＧＲガスとなり、残部は排出される。
【００５５】
次に、圧縮行程後期から膨張行程にかけて行われる燃料噴射と燃焼の形態について、運転領域別に詳細に説明する。図３は、このエンジンの運転領域をモード別に区分して示す設定図である。横軸にエンジン回転速度Ｎｅ、縦軸に要求トルクＴを示す。この図において、（Ａ）は低温燃焼噴射モードを実行する運転領域、（Ｂ）は噴射時期リタードモードを実行する運転領域であることを示す。
【００５６】
まず領域（Ａ）で行われる低温燃焼噴射モードについて説明する。図３に示すように、低温燃焼噴射モードは、エンジン回転速度Ｎｅが約３０００ｒｐｍ以下の低中負荷領域、例えばＢＭＥＰ（正味平均有効圧力）が０．６ＭＰａ以下に相当する負荷領域で実行される。この領域では、図２に示す目標ＥＧＲ率εが全体的に高く、運転状態によっては最大目標ＥＧＲ率（ε≧５０％）が設定される。このように高ＥＧＲ率でＥＧＲが行われるので、ＥＧＲガスがＥＧＲクーラ５３で冷却されていることも相俟って、燃焼温度が大幅に抑制される。つまり低温燃焼が行われる。このため、燃焼によるＮＯｘの発生を大幅に削減することができる。
【００５７】
図４は、低温燃焼噴射モードにおける燃料噴射と燃焼の形態を示すタイムチャートである。横軸にクランク角（ｄｅｇ．）を示す。クランク角＝３６０ｄｅｇ．のポイントが圧縮ＴＤＣである。そして縦軸下段には燃料噴射弁１６の開度（図略のニードル弁のリフト量）、縦軸上段には熱発生率（Ｊ／ｄｅｇ．）を示す。
【００５８】
図４に示すように、低温燃焼噴射モードでは、圧縮行程後期に前段噴射Ｊ１と後段噴射Ｊ２とからなる分割噴射が行われる。前段噴射Ｊ１は、いわゆるパイロット噴射（図７のＰ７参照）とは本質的に異なるものである。すなわちパイロット噴射は、本来の噴射（メイン噴射）の前に微量の燃料を噴射し、予備的な燃焼を起こさせるものであるのに対し、この前段噴射Ｊ１は、比較的多量の燃料を噴射し、後段噴射Ｊ２の燃料と一緒に燃焼させるものである。なお図４に示すポイントＪＦ１は、後段噴射Ｊ２の噴射が実質的に完了する時点である。
【００５９】
後段噴射Ｊ２後、圧縮ＴＤＣ付近で熱発生率のピークを有する燃焼Ｈ１が行われている。ここでポイントＨＲ１は熱炎着火点であって、本格的な燃焼が開始する時点である。例えば熱炎着火点ＨＲ１は、ｄＰ／ｄθ（クランク角に対する指圧Ｐの変化率）の変曲点として規定することができる。図４に示すように、噴射完了時点ＪＦ１から熱炎着火点ＨＲ１に至るまでの間に期間Ｄ１が存在している。この期間Ｄ１の存在は、スモークの抑制に大きく貢献している。燃料の噴射が完了する前（つまり噴射完了時点ＪＦ１より前）に熱炎着火点ＨＲ１が到来すると、燃焼時の燃料の偏在が顕著となるので、スモークが多量に発生するのであるが、当実施形態のように、噴射完了時点ＪＦ１から期間Ｄ１の後に熱炎着火点ＨＲ１が到来するようにすれば、そのような事態が回避される。すなわちスモークが効果的に抑制される。
【００６０】
なお、後段噴射Ｊ２の後、比較的早期に燃焼Ｈ１が起こるので、期間Ｄ１を確保するには後段噴射Ｊ２に要する期間を可及的に短縮する必要がある。当実施形態では、燃料のうちの比較的多く（図４に示す例では半分近く）を前段噴射Ｊ１で噴射しているので、その分後段噴射Ｊ２の噴射量が少なくなっている。こうすることにより後段噴射Ｊ２に要する期間が大きく短縮されるので、期間Ｄ１を容易に確保することができる。
【００６１】
また、比較的多量の前段噴射Ｊ１を行うことにより、その燃料の予混合が促進されることもスモークの低減に貢献している。
【００６２】
そして、燃焼Ｈ１の熱発生率のピークは圧縮ＴＤＣ付近となっている。これは、最も燃費の良い等容度燃焼（圧縮ＴＤＣで燃焼を行わせるもの）に近い燃焼、すなわち高等容度燃焼であるため、燃費向上に有利となっている。
【００６３】
以上の説明から明らかなように、運転領域（Ａ）においては、多量のＥＧＲによって低温燃焼を行わせてＮＯｘを削減しつつ、低温燃焼噴射モードによってスモークの発生も抑制し、さらに燃費に有利な高等容度の燃焼を行わせることができる。
【００６４】
次に、このような燃焼を実現するための前段噴射Ｊ１の設定の一例について説明する。図５はある運転状態における前段噴射Ｊ１の噴射量を増減させた場合のスモーク発生量や燃料消費率の変化を示す特性図である。横軸に１行程当たりの前段噴射Ｊ１の噴射量（ｍｍ３／ｓｔ）、縦軸上段にスモークの発生量（ＦＳＮ）、縦軸下段に燃料消費率（ｇ／ｋＷｈ）を示す。
【００６５】
スモークは、前段噴射量＝０ｍｍ３／ｓｔの場合に最も多く発生し、前段噴射量を増大させるに従って急速に低減する。前段噴射量が４ｍｍ３／ｓｔを超えた以降は緩やかに低減する。前段噴射量が少ないとスモークの量が多くなるのは、相対的に後段噴射量が増えるために後段噴射Ｊ２に要する期間が長くなり、期間Ｄ１が充分確保できなくなるからである。この例では、期間Ｄ１確保可否の境界が前段噴射量＝４ｍｍ３／ｓｔ付近にあると考えられる。
【００６６】
燃料消費率は、前段噴射量＝０〜２ｍｍ３／ｓｔの場合が最も少なく、前段噴射量を増大させるに従って徐々に増加する。前段噴射量が多いと燃料消費率が多くなる（燃費が悪化する）のは、相対的に後段噴射量が減るために後段噴射Ｊ２に要する期間が短くなり、その分燃焼時期が理想的な圧縮ＴＤＣよりも早期化されるためである。
【００６７】
図５から明らかなように、前段噴射量に関して、スモークの削減と燃費の向上とはトレードオフの関係にある。この例では、両者のバランスを考慮して前段噴射量＝５．５ｍｍ３／ｓｔ付近に設定するのが良い。
【００６８】
全体の傾向としては、高負荷であるほど前段噴射量の割合を高くするのが望ましい。高負荷領域では全噴射量が多く、相対的に後段噴射Ｊ２に要する時間が長くなって上記期間Ｄ１の確保に不利となるからである。つまり後段噴射量を低減して後段噴射Ｊ２の完了を早期化するために前段噴射量の割合を高くするのが良い。
【００６９】
図６はある運転状態における前段噴射Ｊ１の噴射開始時期を前後させた場合のスモーク発生量やライナ衝突燃料量の変化を示す特性図である。横軸に前段噴射Ｊ１の噴射開始時期（ＢＴＤＣ，ｄｅｇ．）、縦軸上段にスモークの発生量（ＦＳＮ）、縦軸下段に１行程当たりのライナ衝突燃料量（×１０−７ｋｇ／ｓｔ）を示す。なおライナ衝突燃料量とは、燃料噴射弁１６から噴射された燃料が、直接気筒１２のライナ（シリンダ壁面）に衝突する燃料の量である。
【００７０】
スモークは、前段噴射時期がＢＴＤＣ５５〜４０ｄｅｇ．の領域で少なく、ＢＴＤＣ４０ｄｅｇ．から圧縮ＴＤＣに近づくに従って急速に増大する。前段噴射開始時期を遅延させるとスモーク量が増大するのは、前段噴射Ｊ１の予混合か充分になされなくなるからである。
【００７１】
ライナ衝突燃料量は、前段噴射時期が早いほど（圧縮ＴＤＣから遠いほど）多い。ピストン１３がまだ圧縮ＴＤＣから遠く、ライナの露出面積が大きいからである。ライナ衝突燃料量が多いと、衝突した燃料がライナからピストンリングを経由して気筒１２外に漏出してオイルを希釈させる、いわゆるオイル希釈の懸念が増大するので望ましくない。
【００７２】
図５から明らかなように、前段噴射開始時期に関して、スモークの削減とライナ衝突燃料量の削減（オイル希釈懸念の低減）とはトレードオフの関係にある。この例では、両者のバランスを考慮して前段噴射開始時期＝ＢＴＤＣ４０ｄｅｇ．付近に設定するのが良い。
【００７３】
全体の傾向としては、エンジン回転速度Ｎｅが高いほど前段噴射時期を早期化するのが望ましい。エンジン回転速度Ｎｅが高いと単位クランク角当たりの絶対時間が短くなるので、前段噴射Ｊ１の予混合時間を確保するために前段噴射時期を早期化するのが良い。
【００７４】
なお、後段噴射Ｊ２については、後段噴射量は全噴射量と前段噴射量との差から一義的に求めることができる。また後段噴射時期は図４に示す特性から、期間Ｄ１を確保でき、且つ熱発生率のピークが圧縮ＴＤＣ付近となるような時期が設定される。
【００７５】
以上説明した前段噴射Ｊ１及び後段噴射Ｊ２の各噴射量と各噴射時期は、予め実験等によって運転状態毎に設定され、マップデータとして燃料噴射制御部６２に記憶されている。低温燃焼噴射モードの実行時には、まずそのマップデータから運転状態に応じた値を読込むことにより、各噴射量及び各噴射時期が設定される。そしてさらに、必要に応じて後段噴射Ｊ２の噴射時期補正が行われる。
【００７６】
次にその後段噴射Ｊ２の噴射時期補正について説明する。後段噴射Ｊ２の噴射時期補正は、何らかの要因、或いは過渡的な動作において燃焼時期が狙いの圧縮ＴＤＣ付近から外れた場合、それが圧縮ＴＤＣ付近となるように補正するものである。燃焼時期は、指圧センサ４１によって検出される燃焼時の指圧Ｐに基いて判定される。例えば指圧Ｐがピークとなる時期が燃焼時期とされる。
【００７７】
前段噴射Ｊ１、後段噴射Ｊ２の各噴射量が既定の場合、燃焼時期は前段噴射時期に殆ど影響を受けず、後段噴射時期が支配的な役割をはたす。すなわち後段噴射時期を早期化すれば燃焼時期も早期化し、後段噴射時期を遅延させれば燃焼時期も遅延する。この特性を利用し、例えばフィードバック制御によって燃焼時期が圧縮ＴＤＣに近づく方向に後段噴射Ｊ２の噴射時期を補正することにより、より確実に圧縮ＴＤＣに近い領域で燃焼を行わせることができ、燃費の更なる向上を図ることができる。
【００７８】
この補正において、燃焼時期が狙いの圧縮ＴＤＣよりも遅延したときに、これを是正するために後段噴射時期を早期化補正することは、図４に示す期間Ｄ１を一時的に拡大する方向の補正であるから問題ない。しかし逆に燃焼時期が狙いの圧縮ＴＤＣよりも早期化したときに、これを是正するために後段噴射時期を遅延化補正することは、期間Ｄ１を一時的に縮小する方向の補正であり、この場合、期間Ｄ１が不充分となってスモークが増大する虞がある。このような事態を回避するため、当実施形態では後段噴射Ｊ２の補正の範囲を、期間Ｄ１が所定値（例えば０ｄｅｇ．）以上確保できる範囲で行うようにしている。こうすることにより、スモークの発生を効果的に抑制することができる範囲内で、可及的に高等容度燃焼を行わせて燃費の向上を図ることができる。
【００７９】
次に領域（Ｂ）で行われる噴射時期リタードモードについて説明する。図３に示すように、噴射時期リタードモードは、エンジン回転速度Ｎｅが約３０００ｒｐｍ以下の中負荷領域（領域（Ａ）よりも高負荷の領域）で実行される。この領域では、ＥＧＲを実行するが、全体的に領域（Ａ）よりも目標ＥＧＲ率εの低い設定となる（例えば２５％前後）。この場合でも、領域（Ａ）ほどではないが、ＥＧＲクーラ５３で冷却されたＥＧＲガスによって燃焼温度が抑制され、燃焼によるＮＯｘの発生を削減することができる。
【００８０】
図７は、噴射時期リタードモードにおける燃料噴射と燃焼の形態を示すタイムチャートである。各軸の表示は図４と同様である。図７に示すように、噴射時期リタードモードでは、圧縮行程後期に微量のパイロット噴射Ｐ７が行われ、予備的な燃焼がなされる。そして圧縮ＴＤＣ後にメイン噴射Ｊ７が行われ、実質的な燃焼Ｈ７が起こる。この例では燃焼Ｈ７の熱発生率のピークはＡＴＤＣ１５度程度である。図７に示すように、メイン噴射Ｊ７が完了する前に燃焼Ｈ７の熱炎着火が起こっているが、メイン噴射Ｊ７を大きく遅延させて圧縮ＴＤＣ以降とすることにより、燃焼Ｈ７の殆どが予混合燃焼となり、スモークの発生が抑制される。
【００８１】
以上の説明から明らかなように、運転領域（Ｂ）においては、中程度のＥＧＲによって燃焼温度を低減させてＮＯｘを削減しつつ、噴射時期リタードモードによってスモークの発生が抑制される。但し圧縮ＴＤＣより大きく遅延して燃焼させるため、等容度燃焼という観点からは上記低温燃焼噴射モードに及ばない。しかし、比較的ＥＧＲ率が低く、全噴射量も多いために低温燃焼噴射モードの実行が困難な領域（Ｂ）においては、ＮＯｘの削減とスモークの削減とを両立させることができる有効な燃焼形態である。
【００８２】
領域（Ａ）、（Ｂ）以外の運転領域については、従来の一般的なディーゼルエンジンの動作と同様なので詳細な説明を省略する。
【００８３】
図８は、ＥＣＵ２による、低温燃焼噴射モードおよび噴射時期リタードモードを含む制御のフローチャートである。この制御がスタートすると、まず各種センサ等からのデータが読込まれる（ステップＳ１）。例えばエンジン回転速度Ｎｅ、アクセル開度Ａｃ、指圧Ｐ等が読込まれる。次に、エンジン回転速度Ｎｅとアクセル開度Ａｃとに基いて要求トルクＴが算出される（ステップＳ２）。さらに運転状態に基いて目標ＥＧＲ率ε（図２参照）が設定される（ステップＳ３）。
【００８４】
次に要求トルクＴが所定値より小さいか否かが判定される（ステップＳ４）。ステップＳ４でＹＥＳの場合、現在の運転領域が領域（Ａ）にあることを意味する。そこでステップＳ５に移行し、低温燃焼噴射モードを実行する。すなわち前段噴射Ｊ１および後段噴射Ｊ２の各噴射量と各噴射時期とを設定する。さらに指圧Ｐに基いて、燃焼時期が圧縮ＴＤＣ付近となるようにフィードバック制御等によって後段噴射時期が補正される（ステップＳ６）。
【００８５】
一方、ステップＳ４でＮＯの場合、現在の運転領域が領域（Ｂ）にあることを意味する。そこでステップＳ７に移行し、噴射時期リタードモードを実行する。すわなちパイロット噴射Ｐ７およびメイン噴射Ｊ７の各噴射量と各噴射時期とを設定する。
【００８６】
ステップＳ６またはＳ７の後、各モードに応じて燃料噴射弁１６を制御し燃料を噴射させる（ステップＳ８）。さらにステップＳ３で設定された目標ＥＧＲ率εに基いてＥＧＲ弁５２が制御され、リターンされる。
【００８７】
以上、本発明の実施形態について説明したが、この実施形態は、本発明の要旨を逸脱しない範囲で適宜変更可能である。例えば、低温燃焼噴射モードにおける分割噴射は、必ずしも前段噴射Ｊ１と後段噴射Ｊ２とからなる２分割噴射でなくても良く、３分割以上であっても良い。その場合は、最初の噴射が前段噴射Ｊ１、最後の噴射が後段噴射Ｊ２に相当する。そして途中の噴射は、前段噴射Ｊ１と後段噴射Ｊ２との中間の作用を呈するものとなる。
【００８８】
また、図３に示す領域（Ａ）、（Ｂ）の境界は、当実施形態では正味平均有効圧力ＢＭＥＰが０．６ＭＰａに相当する要求トルクＴであるとしたが、それよりも高い要求トルクＴを境界としても良い。領域（Ａ）が広い方が高等容燃焼による燃費向上効果を大きくすることができるので望ましい。また可能であれば領域（Ｂ）を設けずに、全域を領域（Ａ）としても良い。
【００８９】
低温燃焼噴射モードにおける燃焼Ｈ１の時期を圧縮ＴＤＣ付近に調整するための補正として、当実施形態では前段噴射Ｊ１と後段噴射Ｊ２の各噴射量を既定値とし、後段噴射Ｊ２の時期を前後させることによって補正するようにしたが、必ずしもこのようにする必要はない。前／後段の噴射割合を変動させることによっても燃焼Ｈ１の時期を前後させることができるので、それを利用した補正方法を用いても良い。
【図面の簡単な説明】
【００９０】
【図１】本発明の一実施形態に係るディーゼルエンジンの概略構成図である。
【図２】上記エンジンの目標ＥＧＲ率の設定図である。
【図３】上記エンジンの運転領域をモード別に区分して示す設定図である。
【図４】上記エンジンの低温燃焼噴射モードにおける燃料噴射と燃焼の形態を示すタイムチャートである。
【図５】上記低温燃焼噴射モードにおいて前段噴射の噴射量を増減させた場合のスモーク発生量や燃料消費率の変化を示す特性図である。
【図６】上記低温燃焼噴射モードにおいて前段噴射の噴射開始時期を前後させた場合のスモーク発生量やライナ衝突燃料量の変化を示す特性図である。
【図７】上記エンジンの噴射時期リタードモードにおける燃料噴射と燃焼の形態を示すタイムチャートである。
【図８】上記エンジンのＥＣＵによる、低温燃焼噴射モードおよび噴射時期リタードモードを含む制御のフローチャートである。
【符号の説明】
【００９１】
１        （ディーゼル）エンジン本体
２        ＥＣＵ
１６      燃料噴射弁
２１      吸気通路
２２      排気通路
４１      指圧センサ（パラメータ値検出手段）
５１      ＥＧＲ通路（ＥＧＲ手段）
５２      ＥＧＲ弁（ＥＧＲ手段）
６２      燃料噴射制御部（燃料噴射制御手段）
６３      ＥＧＲ制御部（ＥＧＲ制御手段）
ＪＦ１    最後の噴射（後段噴射）の実質的な完了時期
ＨＲ１    熱炎着火時期
【図１】
2007332815.tif 000003
【図２】
2007332815.tif 000004
【図３】
2007332815.tif 000005
【図４】
2007332815.tif 000006
【図５】
2007332815.tif 000007
【図６】
2007332815.tif 000008
【図７】
2007332815.tif 000009
【図８】
2007332815.tif 000010